(57)【要約】【課題】トリアージ情報をダイレクトに入力でき、かつトリアージタッグから読み取ったトリアージタッグの識別情報と共に迅速かつ容易に送信する。【解決手段】トリアージタッグに表示される複数のトリアージ区分と一対一で対応する複数の区分入力スイッチ１１〜１４と、トリアージタッグに搭載されたＩＣタグからこのＩＣタグに予め記憶されたトリアージタッグに固有の識別情報Ｄｄを読み取る読取部１５と、区分入力スイッチ１１〜１４が操作された際に、読取部１５に対して識別情報Ｄｄを読み取らせると共に、読み取った識別情報Ｄｄを操作された区分入力スイッチに対応するトリアージ区分を示すトリアージ情報と共に傷病者情報Ｄｐとして送信部１７に出力する制御部１８と、入力した傷病者情報Ｄｐを送信する送信部１７とを備えている。【選択図】図２
2011048734.tif 000002
【特許請求の範囲】
【請求項１】
トリアージタッグに表示される複数のトリアージ区分と一対一で対応する複数の区分入力スイッチと、
前記トリアージタッグに設けられている固有の識別情報を読み取る読取部と、
前記区分入力スイッチが操作された際に、前記読取部に対して前記識別情報を読み取らせると共に、当該読み取った識別情報を当該操作された区分入力スイッチに対応する前記トリアージ区分を示すトリアージ情報と共に傷病者情報として送信部に出力する制御部と、
入力した前記傷病者情報を送信する送信部とを備えているトリアージ情報入力端末。
【請求項２】
前記各区分入力スイッチには、前記トリアージタッグにおける対応する前記トリアージ区分の色と同一の色が付されている請求項１記載のトリアージ情報入力端末。
【請求項３】
前記各区分入力スイッチは、前記トリアージタッグにおける前記各トリアージ区分と同じ配列順序で配設されている請求項１または２記載のトリアージ情報入力端末。
【請求項４】
ＧＰＳ受信部を備え、
前記制御部は、前記区分入力スイッチが操作された際に、前記ＧＰＳ受信部から位置情報を取得して、前記傷病者情報の一部として前記送信部に出力する請求項１から３のいずれかに記載のトリアージ情報入力端末。
【請求項５】
時計部を備え、
前記制御部は、前記区分入力スイッチが操作された際に、前記時計部から時刻情報を取得して、前記傷病者情報の一部として前記送信部に出力する請求項１から４のいずれかに記載のトリアージ情報入力端末。
【請求項６】
請求項１から５のいずれかに記載のトリアージ情報入力端末と、
当該トリアージ情報入力端末から送信された前記傷病者情報を受信する受信装置と、
前記傷病者情報を前記受信装置から入力して配信可能に保持する配信装置とを備えている傷病者管理システム。
【請求項７】
前記傷病者情報を前記受信装置から入力して表示する表示装置を備えている請求項６記載の傷病者管理システム。
【請求項８】
前記トリアージ情報入力端末から送信された前記傷病者情報を中継して前記受信装置に伝送する中継装置を備え、
当該中継装置は、ＧＰＳ受信部を備えると共に、中継する前記傷病者情報に当該ＧＰＳ受信部で取得した位置情報を付加して伝送する請求項６または７記載の傷病者管理システム。
【発明の詳細な説明】
【技術分野】
【０００１】
本発明は、災害・救急医療において傷病者に対して決定されたトリアージ区分を示すトリアージ情報を入力するためのトリアージ情報入力端末、およびトリアージ情報入力端末を使用した傷病者管理システムに関するものである。
【背景技術】
【０００２】
トリアージとは、医療機能が制約されている条件下で、より多くの傷病者に対して最善の治療を施すため、傷病者の重症度に応じて治療の優先順位を決定することをいう。この場合、重症度は、超重症、重症、軽症および死亡の四段階に区分（以下、「トリアージ区分」ともいう）され、この順が治療の優先順位と一致する。このトリアージは、現在、傷病者が多数発生した現場において、治療を行う前段階として実施されている。具体的には、医師が、傷病者の状態を見てトリアージ区分を決定し、決定したトリアージ区分と共に、傷病者の性別や診断した日時などをトリアージタッグに記載することでトリアージを実施している。この場合、トリアージタッグには、一例として下記の特許文献１に記載されているように、重症度（トリアージ区分）に応じて色分けされると共に上記の４段階のいずれであるかを示す符号が付された４つの紙片が設けられている。この各紙片は、死亡を示す黒色の紙片（符号０が付された紙片）と、超重症を示す赤色の紙片（符号Ｉが付された紙片）と、重症を示す黄色の紙片（符号IIが付された紙片）と、軽症を示す緑色の紙片（符号III が付された紙片）とで構成され、各紙片はミシン目を介してこの順に連結されている。トリアージを実施した医師は、傷病者の状態に応じたトリアージ区分を決定し、該当するトリアージ区分をトリアージタッグに記載すると共に、トリアージタッグを見て一目で傷病者のトリアージ区分を判別できるように、トリアージ区分に対応する紙片がトリアージタッグの最も下（先端）に位置するように不要な紙片を切り取って傷病者に取り付ける。このようにして傷病者に対してトリアージタッグが取り付けられることにより、その後に行われる救護活動において、トリアージタッグに記載された情報から傷病者の重症度を確実に、しかも迅速に把握することができるため、混乱を最小限に抑えて、効率よく傷病者に対する治療が行えるようになる。
【０００３】
また、傷病者に対する治療のさらなる効率化を図るべく、固有の識別情報（識別コード）が予め記憶されたＩＣタグをトリアージタッグに搭載することによってトリアージタッグを電子タグ化し、傷病者に取り付けられたトリアージタッグから上記の固有の識別情報と共に傷病者のトリアージ区分を示すトリアージ情報をネットワークに接続された端末で読み取り、読み取った傷病者のこれら情報をネットワークに接続されたデータベースに入力して評価することで、治療の順番およびスケジュールや、さらなる医療スタッフの投入の必要性などを管理するトリアージタッグ管理システムが提案されている（下記、特許文献２参照）。
【先行技術文献】
【特許文献】
【０００４】
【特許文献１】特開２００３−３８５８７号公報（第２−３頁、第１図）
【特許文献１】特開２００４−２４０７９７号公報（第２−３頁、第１図）
【発明の概要】
【発明が解決しようとする課題】
【０００５】
ところが、上記した従来のトリアージタッグ管理システムでは、端末（携帯端末）として携帯型パソコンを使用し、かつ専用のソフトウェアを作動させた状態において、電子ペンやキーボードなどを操作してトリアージ区分を示すトリアージ情報を入力する方法が一般的に採用されている。このため、トリアージ情報の端末への入力が煩雑である結果、トリアージ情報をネットワークに送信するのに手間や時間がかかるという問題点が存在している。
【０００６】
本発明は、かかる問題点を解決すべくなされたものであり、トリアージ情報をダイレクトに入力でき、かつトリアージタッグから読み取ったトリアージタッグの識別情報と共に迅速かつ容易に送信し得るトリアージ情報入力端末、およびこのトリアージ情報入力端末を使用した傷病者管理システムを提供することを主目的とする。
【課題を解決するための手段】
【０００７】
上記目的を達成すべく請求項１記載のトリアージ情報入力端末は、トリアージタッグに表示される複数のトリアージ区分と一対一で対応する複数の区分入力スイッチと、前記トリアージタッグに設けられている固有の識別情報を読み取る読取部と、前記区分入力スイッチが操作された際に、前記読取部に対して前記識別情報を読み取らせると共に、当該読み取った識別情報を当該操作された区分入力スイッチに対応する前記トリアージ区分を示すトリアージ情報と共に傷病者情報として送信部に出力する制御部と、入力した前記傷病者情報を送信する送信部とを備えている。
【０００８】
請求項２記載のトリアージ情報入力端末は、請求項１記載のトリアージ情報入力端末において、前記各区分入力スイッチには、前記トリアージタッグにおける対応する前記トリアージ区分の色と同一の色が付されている。
【０００９】
請求項３記載のトリアージ情報入力端末は、請求項１または２記載のトリアージ情報入力端末において、前記各区分入力スイッチは、前記トリアージタッグにおける前記各トリアージ区分と同じ配列順序で配設されている。
【００１０】
請求項４記載のトリアージ情報入力端末は、請求項１から３のいずれかに記載のトリアージ情報入力端末において、ＧＰＳ受信部を備え、前記制御部は、前記区分入力スイッチが操作された際に、前記ＧＰＳ受信部から位置情報を取得して、前記傷病者情報の一部として前記送信部に出力する。
【００１１】
請求項５記載のトリアージ情報入力端末は、請求項１から４のいずれかに記載のトリアージ情報入力端末において、時計部を備え、前記制御部は、前記区分入力スイッチが操作された際に、前記時計部から時刻情報を取得して、前記傷病者情報の一部として前記送信部に出力する。
【００１２】
請求項６記載の傷病者管理システムは、請求項１から５のいずれかに記載のトリアージ情報入力端末と、当該トリアージ情報入力端末から送信された前記傷病者情報を受信する受信装置と、前記傷病者情報を前記受信装置から入力して配信可能に保持する配信装置とを備えている。
【００１３】
また、請求項７記載の傷病者管理システムは、請求項６記載の傷病者管理システムにおいて、前記傷病者情報を前記受信装置から入力して表示する表示装置を備えている。
【００１４】
また、請求項８記載の傷病者管理システムは、請求項６または７記載の傷病者管理システムにおいて、前記トリアージ情報入力端末から送信された前記傷病者情報を中継して前記受信装置に伝送する中継装置を備え、当該中継装置は、ＧＰＳ受信部を備えると共に、中継する前記傷病者情報に当該ＧＰＳ受信部で取得した位置情報を付加して伝送する。
【発明の効果】
【００１５】
請求項１記載のトリアージ情報入力端末によれば、トリアージタッグに表示されている複数のトリアージ区分に一対一で対応する区分入力スイッチが設けられているため、トリアージタッグに表示されているトリアージ区分に対応する１つの区分入力スイッチを操作するだけで、トリアージ区分を示すトリアージ情報をダイレクトに、かつ確実にトリアージ情報入力端末に入力することができる。また、このトリアージ情報入力端末によれば、複数の区分入力スイッチのいずれかが操作された際に、制御部が読取部に対してトリアージタッグの識別情報を読み取らせると共にこの識別情報をトリアージ情報と共に傷病者情報として送信部に出力し、送信部がこの傷病者情報を送信することにより、携帯型パソコンを使用する端末とは異なり、極めて迅速かつ容易に傷病者情報を送信することができる。
【００１６】
請求項２記載のトリアージ情報入力端末によれば、トリアージ情報入力端末の各区分入力スイッチには、トリアージタッグにおけるトリアージ区分の色と同一の色が付されているため、傷病者の重症度を示すトリアージタッグに表示されているトリアージ区分を正確にトリアージ情報入力端末に入力することができる。
【００１７】
請求項３記載のトリアージ情報入力端末によれば、各区分入力スイッチは、トリアージタッグにおける各トリアージ区分と同じ配列順序で配設されているため、傷病者の重症度を示すトリアージタッグに表示されているトリアージ区分を一層正確に入力することができる。
【００１８】
請求項４記載のトリアージ情報入力端末によれば、ＧＰＳ受信部を備え、複数の区分入力スイッチのいずれかが操作された際に、制御部がＧＰＳ受信部から位置情報を取得して、傷病者情報の一部として送信部に出力することにより、携帯型パソコンを使用する端末とは異なり、極めて短時間に位置情報を含む傷病者情報を送信することができる。
【００１９】
請求項５記載のトリアージ情報入力端末によれば、時計部を備え、複数の区分入力スイッチのいずれかが操作された際に、制御部が時計部から時刻情報を取得して、傷病者情報の一部として前記送信部に出力することにより、携帯型パソコンを使用する端末とは異なり、極めて短時間で時刻情報を含む傷病者情報を送信することができる。
【００２０】
請求項６記載の傷病者管理システムによれば、請求項１から５のいずれかに記載のトリアージ情報入力端末と、トリアージ情報入力端末から送信された傷病者情報を受信する受信装置と、傷病者情報を受信装置から入力して配信可能に保持する配信装置とを備えたことにより、配信装置に対してアクセスし得る装置であれば、場所や時間を問わず、傷病者情報を取得することができる。
【００２１】
請求項７記載の傷病者管理システムによれば、傷病者情報を受信装置から入力して表示する表示装置を備えたことにより、配信装置に対してアクセスすることにより、場所や時間を問わず、傷病者情報を表示させて、確認することができる。
【００２２】
請求項８記載の傷病者管理システムによれば、トリアージ情報入力端末から送信された傷病者情報を中継して受信装置に伝送する中継装置を備え、中継装置が、ＧＰＳ受信部を備えると共に、中継する傷病者情報にこのＧＰＳ受信部で取得した位置情報を付加して伝送することにより、傷病者情報の中継に関わった中継装置によって傷病者情報に位置情報が順次付加されるため、トリアージ情報入力端末にＧＰＳ受信部を設けない構成においても、例えば、最初に付加された位置情報を傷病者の存在する位置として見なして、傷病者の存在する地域を大まかに特定することができる。また、この構成によれば、トリアージ情報入力端末にＧＰＳ受信部を設ける必要がなくなるため、トリアージ情報入力端末をよりコンパクトに構成することができる結果、携帯性を高めることができる。
【図面の簡単な説明】
【００２３】
【図１】傷病者管理システム１の構成図である。
【図２】トリアージ情報入力端末２のブロック図である。
【発明を実施するための形態】
【００２４】
以下、添付図面を参照して、傷病者管理システム１およびトリアージ情報入力端末２の実施の形態について説明する。
【００２５】
まず、トリアージ情報入力端末２を含む傷病者管理システム１の構成について、図１，２を参照して説明する。
【００２６】
傷病者管理システム１は、図１に示すように、複数（同図では、１つのみを表示して、それ以外のものの記載を省略するが、１つであってもよい）のトリアージ情報入力端末（以下、単に「入力端末」ともいう）２、中継装置３および管理装置４を備え、傷病者５に取り付けられたトリアージタッグ６に表示されているトリアージ区分を示すトリアージ情報Ｄｔ、トリアージタッグ６に予め規定されている固有の識別情報Ｄｄおよび位置情報Ｄｇを含む傷病者情報Ｄｐに基づいて、災害時における傷病者の地域毎の発生状況、および傷病者の重症度の分布状況などを管理可能に構成されている。なお、トリアージタッグ６には、背景技術で説明したように、各トリアージ区分（死亡、超重症、重症および軽症）を表示するための色分けされた４つの紙片６ａ（「死亡」：黒），紙片６ｂ（「超重症」：赤），紙片６ｃ（「重症」：黄），紙片６ｄ（「軽症」：緑）がこの順に設けられている。また、本例のトリアージタッグ６には、トリアージタッグ６に固有の識別情報Ｄｄが記憶されたＩＣタグ６ｅが搭載されている。ＩＣタグ６ｅは、いわゆるパッシブタグであって、入力端末２からの電波をエネルギー源として動作するＲＦ（Ｒａｄｉｏ  Ｆｒｅｑｕｅｎｃｙ）タグである。
【００２７】
入力端末２は、図２に示すように、４つの区分入力スイッチ１１，１２，１３，１４、読取部１５、ＧＰＳ受信部１６、送信部１７、制御部１８、電源部１９および２つの発光ダイオードＬＤ１，ＬＤ２を備え、携帯可能に構成されている。この場合、発光ダイオードＬＤ１の発光色は緑色に規定され、発光ダイオードＬＤ２の発光色が赤色に規定されている。区分入力スイッチ１１，１２，１３，１４は、トリアージタッグ６に表示されている複数のトリアージ区分（前述の複数（４つ）の区分）のすべてに一対一で対応して、同じ形状（長方形）に形成されると共に、これらと同じ順に一列に（同じ配列順序で）配設されている。具体的には、区分入力スイッチ１１はトリアージタッグ６に設けられている紙片６ａ（「死亡」：黒）に対応し、区分入力スイッチ１２は紙片６ｂ（「超重症」：赤）に対応し、区分入力スイッチ１３は紙片６ｃ（「重症」：黄）に対応し、区分入力スイッチ１４は紙片６ｄ（「軽症」：緑）に対応して、図１に示すように、各紙片６ａ，６ｂ，６ｃ，６ｄの配列と同じ順（区分入力スイッチ１１，１２，１３，１４の順）で配列されている。
【００２８】
読取部１５は、本例では、ＩＣタグ６ｅに対するタグリーダーとして構成されて、ＩＣタグ６ｅに記憶されている識別情報Ｄｄ（トリアージタッグ６に設けられている固有の識別情報Ｄｄの一例）を読み取り可能に構成されている。本例では、読取部１５は、制御部１８から制御信号Ｓ１を入力したときに作動して（ＩＣタグ６ｅに対して電波を送信して）、識別情報Ｄｄを読み取ると共に、読み取った識別情報Ｄｄを制御部１８に出力する。ＧＰＳ（Ｇｌｏｂａｌ  Ｐｏｓｉｔｉｏｎｉｎｇ  Ｓｙｓｔｅｍ）受信部１６は、図１に示すように、ＧＰＳ衛星７からの電波を受信して、図２に示すように、入力端末２の現在位置を示す位置情報Ｄｇを算出する。また、ＧＰＳ受信部１６は、制御部１８から制御信号Ｓ２を入力したときに、算出した最新の位置情報Ｄｇを制御部１８に出力する。
【００２９】
送信部１７は、図２に示すように、制御部１８から入力した傷病者情報Ｄｐを無線で中継装置３に送信する。制御部１８は、ＣＰＵおよび内部メモリで構成されて、区分入力スイッチ１１，１２，１３，１４に対するスキャニングを行ってトリアージ情報Ｄｔを検出するトリアージ情報検出処理、トリアージタッグ６からの識別情報Ｄｄを読み出す識別情報読み取り処理、位置情報Ｄｇを取得する位置情報取得処理、および傷病者情報Ｄｐを送信する送信処理を実行する。また、制御部１８は、発光ダイオードＬＤ１（緑色）に対する点灯制御を実行する。電源部１９は、電池１９ａ、電源スイッチ１９ｂおよび電圧チェック部１９ｃを備えている。電源スイッチ１９ｂは、一例として、図１に示すように、スライドスイッチで構成されて、オン状態のときに電池１９ａにおいて発生している電圧を入力端末２内の各構成要素に対して供給し、オフ状態のときにこの供給を停止する。電圧チェック部１９ｃは、電池１９ａから各構成要素に対して供給されている電圧をチェックして、この電圧が不十分（各構成要素が正常に動作しないおそれのある電圧）であるときには発光ダイオードＬＤ２（赤色）を点灯させる。
【００３０】
中継装置３は、入力端末２から送信された傷病者情報Ｄｐを中継して管理装置４に無線で伝送する。なお、中継装置３は、図１に示すように、複数存在していてもよく、本例では２つの中継装置３が存在している。中継装置３は、入力端末２および管理装置４（中継装置３が複数存在しているときには他の中継装置３とも）と、相互に無線ネットワークを構成し（いわゆる無線アドホックネットワークを構成し）、入力端末２の傷病者情報Ｄｐを中継して管理装置４に伝送する。
【００３１】
管理装置４は、図１に示すように、一例として、受信装置２１、処理装置２２および配信装置２３を備えて構成されている。受信装置２１は、中継装置３を経由して傷病者情報Ｄｐ（位置情報Ｄｇ、トリアージ情報Ｄｔ、識別情報Ｄｄ）を受信すると共に、処理装置２２に出力する。処理装置２２は、傷病者情報Ｄｐを受信して内部記憶装置（不図示）に記憶する。また、処理装置２２は、内部記憶装置に予め記憶されている地図情報と傷病者情報Ｄｐとに基づいて、傷病者５の重症度の分布状況を地域毎に集計する。具体的には、処理装置２２は、地図情報と傷病者情報Ｄｐに含まれている位置情報Ｄｇとに基づいて、トリアージタッグ６の識別情報Ｄｄ（言い換えれば、トリアージタッグ６が取り付けられた傷病者５）を地域別に区分する（地域毎の傷病者５の発生状況の集計）。また、処理装置２２は、トリアージ情報Ｄｔに基づいて傷病者５の重症度を地域毎に集計する（傷病者５の重症度の地域毎の分布状況の集計）。これにより、どの地域に傷病者５がどれくらい発生し、各地域にどのような重症度の傷病者５がどの程度存在しているかの分布状況が集計される。処理装置２２は、このようにして集計した傷病者発生情報Ｄｉを配信装置２３に記憶させる。配信装置２３は、インターネットに接続されて、要求のあった表示装置３１（例えば、災害対策本部や、災害の発生している地域の本庁や支所などに設置されているパソコンなど）に対してインターネットを介して傷病者発生情報Ｄｉを配信する。
【００３２】
次に、入力端末２および傷病者管理システム１の動作について説明する。
【００３３】
最初に、災害の発生した地域に中継装置３が設置される。この状態において、各地域で救援活動を行っている入力端末２の使用者は、傷病者５に取り付けられたトリアージタッグ６に表示されているトリアージ区分を確認して、入力端末２に設けられている区分入力スイッチ１１〜１４のうちの対応する区分入力スイッチを操作する。
【００３４】
入力端末２では、制御部１８が、トリアージ情報検出処理を繰り返し実行する。その際に、区分入力スイッチに対する操作を検出したとき（本例では、誤入力防止のため、区分入力スイッチに対する操作が一例として２秒以上継続したときに、制御部１８は区分入力スイッチに対する操作があったと検出する）には、制御部１８は、区分入力スイッチに対する操作を受け付けたことを使用者に表示するため、発光ダイオードＬＤ１（緑色）を所定時間点灯させる。また、制御部１８は、各区分入力スイッチ１１〜１４のうちから操作された区分入力スイッチを特定して、この区分入力スイッチに対応するトリアージ区分を示すトリアージ情報Ｄｔを内部メモリに記憶する。また、制御部１８は、区分入力スイッチに対する操作を検出したときには、識別情報読み取り処理、位置情報取得処理および送信処理を実行する。この識別情報読み取り処理では、制御部１８は、制御信号Ｓ１を読取部１５に対して出力することにより、入力端末２に最も近接する傷病者５に取り付けられたトリアージタッグ６に配設されているＩＣタグ６ｅから識別情報Ｄｄを読み出して、内部メモリに記憶する。また、位置情報取得処理では、制御部１８は、制御信号Ｓ２をＧＰＳ受信部１６に対して出力することにより、ＧＰＳ受信部１６で算出された位置情報Ｄｇを入力して、内部メモリに記憶する。また、識別情報読み取り処理および位置情報取得処理に続いて実行される送信処理では、制御部１８は、内部メモリに記憶されているトリアージ情報Ｄｔ、識別情報Ｄｄおよび位置情報Ｄｇを読み出して、これらを傷病者情報Ｄｐとして送信部１７に出力する。送信部１７は、入力したこの傷病者情報Ｄｐを無線で送信する。また、制御部１８は、傷病者情報Ｄｐを送信部１７に出力した後、発光ダイオードＬＤ１（緑色）を所定時間点灯（一例として点滅）させる。これにより、送信部１７が送信動作を実行しているときに発光ダイオードＬＤ１が点灯するため、使用者は傷病者情報Ｄｐが送信されていることを認識することができる。なお、送信部１７が送信動作状態にあることを示す状態信号を送信動作中に制御部１８に対して出力する構成を採用したときには、制御部１８がこの状態信号の入力を検出したときに発光ダイオードＬＤ１を点灯させる構成とすることもできる。
【００３５】
中継装置３は、このようにして複数の入力端末２から送信された傷病者情報Ｄｐを中継して、管理装置４に伝送する。管理装置４では、受信装置２１が傷病者情報Ｄｐを受信して処理装置２２に出力し、処理装置２２が内部記憶装置に記憶する。また、処理装置２２は、内部記憶装置に予め記憶されている地図情報と傷病者情報Ｄｐとに基づいて、地域毎の傷病者５の発生状況、および地域毎の傷病者５の重症度の分布状況を集計して、傷病者発生情報Ｄｉとして配信装置２３に、傷病者情報Ｄｐと共に配信可能に記憶（保持）させる。
【００３６】
このように、この入力端末２によれば、トリアージタッグ６に表示されている複数のトリアージ区分（具体的には、色分けされたトリアージ区分を示す各紙片６ａ〜６ｄ）に一対一で対応する区分入力スイッチ１１，１２，１３，１４が設けられているため、トリアージタッグ６に表示されているトリアージ区分に対応する１つの区分入力スイッチを操作するだけで、トリアージ区分を示すトリアージ情報Ｄｔをダイレクトに、かつ確実に入力端末２に入力することができる。また、この入力端末２によれば、区分入力スイッチ１１〜１４のいずれかが操作された際に、制御部１８が読取部１５に対してトリアージタッグ６の識別情報Ｄｄを読み取らせると共にこの識別情報Ｄｄをトリアージ情報Ｄｔと共に傷病者情報Ｄｐとして送信部１７に出力し、送信部１７がこの傷病者情報Ｄｐを送信することにより、携帯型パソコンを使用する端末とは異なり、極めて迅速かつ容易に傷病者情報Ｄｐを送信することができる。
【００３７】
また、この入力端末２によれば、入力端末２の各区分入力スイッチ１１〜１４には、トリアージタッグ６におけるトリアージ区分の色と同一の色が付されているため、傷病者５の重症度を示すトリアージタッグ６に表示されているトリアージ区分を正確に入力することができる。
【００３８】
また、この入力端末２によれば、各区分入力スイッチ１１〜１４は、トリアージタッグ６における各トリアージ区分と同じ配列順序で配設されているため、傷病者５の重症度を示すトリアージタッグ６に表示されているトリアージ区分を一層正確に入力することができる。
【００３９】
また、この入力端末２によれば、ＧＰＳ受信部１６を備え、区分入力スイッチ１１〜１４のいずれかが操作された際に、制御部１８がＧＰＳ受信部１６から位置情報Ｄｇを取得して、傷病者情報Ｄｐの一部として送信部１７に出力することにより、携帯型パソコンを使用する端末とは異なり、極めて短時間に位置情報Ｄｇを含む傷病者情報Ｄｐを送信することができる。
【００４０】
また、この傷病者管理システム１によれば、以上のような入力端末２と、入力端末２から送信された傷病者情報Ｄｐを受信する受信装置２１と、傷病者情報Ｄｐを受信装置２１から入力して配信可能に保持する配信装置２３とを備えたことにより、配信装置２３に対してアクセスし得る装置であれば、場所や時間を問わず、傷病者情報Ｄｐおよび傷病者発生情報Ｄｉを取得することができる。また、この装置が傷病者情報Ｄｐおよび傷病者発生情報Ｄｉを表示し得る表示装置３１を含むものであれば、配信装置２３に対してアクセスすることにより、場所や時間を問わず、傷病者情報Ｄｐおよび傷病者発生情報Ｄｉを表示させて、確認することができる。
【００４１】
なお、図２において破線で示すように、時刻情報Ｄｃを生成する時計部２０を入力端末２に設けて、区分入力スイッチ１１〜１４のいずれかが操作された際に、制御部１８が時計部２０から時刻情報Ｄｃを取得して、傷病者情報Ｄｐの一部として送信部１７に出力する構成を採用することもできる。なお、時計部２０は、例えば、ＲＴＣ（Ｒｅａｌ  Ｔｉｍｅ  Ｃｌｏｃｋ）で構成することができる。この構成によれば、携帯型パソコンを使用する端末とは異なり、極めて短時間で時刻情報Ｄｃを含む傷病者情報Ｄｐを送信することができる。また、ＧＰＳ受信部１６がＧＰＳ衛星７から受信する電波には、位置情報のみならず、時刻情報も含まれている。このため、時計部２０を設ける構成に代えて、ＧＰＳ受信部１６が位置情報Ｄｇと共に時刻情報を出力するように構成した場合、制御部１８がＧＰＳ受信部１６から時刻情報を取得して、傷病者情報Ｄｐの一部として送信部１７に出力する構成を採用することもできる。
【００４２】
また、トリアージタッグ６に固有の識別情報Ｄｄが記憶されているＩＣタグ６ｅをトリアージタッグ６に搭載することによってトリアージタッグ６に識別情報Ｄｄを設ける例について上記したが、ＩＣタグ６ｅの搭載に代えて、トリアージタッグ６に固有の識別情報Ｄｄを示す一次元や二次元のバーコードをトリアージタッグ６の表面に表示することにより、トリアージタッグ６に識別情報Ｄｄを設ける構成を採用することもできる。この構成においては、読取部１５は、バーコートリーダとして構成する。この構成においても、読取部１５をトリアージタッグ６に向けた状態で区分入力スイッチ１１〜１４のいずれかが操作された際に、制御部１８が読取部１５に対してトリアージタッグ６の識別情報Ｄｄを読み取らせると共にこの識別情報Ｄｄをトリアージ情報Ｄｔと共に傷病者情報Ｄｐとして送信部１７に出力し、送信部１７がこの傷病者情報Ｄｐを送信することにより、極めて迅速かつ容易に傷病者情報Ｄｐを送信することができる。
【００４３】
また、入力端末２にＧＰＳ受信部１６を設けることにより、傷病者５の位置情報Ｄｇを管理装置４の受信装置２１に送信する構成を採用しているが、この構成に代えて、各中継装置３にＧＰＳ受信部（不図示）を設けて、中継する傷病者情報Ｄｐに各中継装置３が位置情報を付加して伝送する構成を採用することもできる。この構成によれば、傷病者情報Ｄｐの中継に関わった中継装置３によって傷病者情報Ｄｐに位置情報が順次付加されるため、入力端末２にＧＰＳ受信部１６を設けない構成においても、管理装置４では、最初に付加された位置情報（傷病者５に最も近い位置に配設された中継装置３が付加した位置情報）を傷病者５の存在する位置として見なして、傷病者５の存在する地域を大まかに特定することができる。また、この構成によれば、入力端末２にＧＰＳ受信部１６を設ける必要がなくなるため、入力端末２をよりコンパクトに構成することができる結果、携帯性を高めることができる。また、管理装置４内に表示装置３１を設置するなど、傷病者管理システム１に上記の表示装置３１を含める構成を採用することもできる。また、中継装置３が事前に設置されている環境下では、各中継装置３の設置場所は既知である。このため、傷病者情報Ｄｐの中継に関わった中継装置３が自己の識別情報（位置情報や自局情報）を傷病者情報Ｄｐに順次付加する構成とすることで、入力端末２や中継装置３にＧＰＳ受信部１６を設けない構成においても、管理装置４では、最初に付加された中継装置３の識別情報（傷病者５に最も近い位置に配設された中継装置３が付加した識別情報）を傷病者５の存在する位置として見なして、傷病者５の存在する地域を大まかに特定することもできる。
【符号の説明】
【００４４】
１  傷病者管理システム
２  入力端末
３  中継装置
５  傷病者
６  トリアージタッグ
６ｅ  ＩＣタグ
１１，１２，１３，１４  区分入力スイッチ
１５  読取部
１６  ＧＰＳ受信部
１７  送信部
１８  制御部
２０  時計部
２１  受信装置
２３  配信装置
３１  表示装置
Ｄｃ  時刻情報
Ｄｄ  識別情報
Ｄｇ  位置情報
Ｄｐ  傷病者情報
Ｄｔ  トリアージ情報
【図１】
2011048734.tif 000003
【図２】
2011048734.tif 000004